【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
外部装置に接続され、通常モードに対して消費電力を抑えて動作する省エネルギーモードで動作可能な表示装置であって、
前記省エネルギーモードで動作しているときに、前記外部装置からビデオ入力信号が入力されたことを類推可能な擬似入力信号が入力されたか否かを検出する第１の信号検出手段と、
前記外部装置から前記ビデオ入力信号が入力されたか否かを検出する第２の信号検出手段と、
前記第２の信号検出手段による検出結果に基づいて、前記通常モードと前記省エネルギーモードとを切り換える電力モード移行制御手段と、
前記外部装置から入力される前記ビデオ入力信号に、前記ビデオ入力信号が表す画像を表示するための処理を施す表示信号処理手段と、
前記第２の信号検出手段、前記電力モード移行制御手段および前記表示信号処理手段に電力を供給する供給状態と、前記電力の供給を停止する供給停止状態とを切り換える電子スイッチ制御手段とを備え、
前記電力モード移行制御手段は、
前記通常モードで動作しているときに、前記第２の信号検出手段によって前記ビデオ入力信号が入力されていないことが検出されると、前記通常モードから前記省エネルギーモードに切り換え、
前記省エネルギーモードで動作しているときに、前記第２の信号検出手段によって前記ビデオ入力信号が入力されたことが検出されると、前記省エネルギーモードから前記通常モードに切り換え、前記第２の信号検出手段によって前記ビデオ入力信号が入力されていないことが検出されると、前記省エネルギーモードを保持し、
前記電子スイッチ制御手段は、
前記電力モード移行制御手段によって前記通常モードから前記省エネルギーモードに切り換えられると、前記供給状態から前記供給停止状態に切り換え、
前記省エネルギーモードで動作しているときに、前記第１の信号検出手段によって前記疑似入力信号が入力されたことが検出されると、前記供給停止状態から前記供給状態に切り換えることを特徴とする表示装置。
【請求項２】
前記第１の信号検出手段は、自表示装置を識別する識別情報を記憶し、前記外部装置が前記識別情報を読込み可能に構成される記憶手段を備え、
前記擬似入力信号は、前記外部装置から入力される前記識別情報を読込むための読込み信号であることを特徴とする請求項１に記載の表示装置。
【請求項３】
前記第１の信号検出手段は、前記外部装置から前記外部装置の操作の有無を表す操作有無信号を受信する受信手段を備え、
前記擬似入力信号は、前記操作有無信号であることを特徴とする請求項１に記載の表示装置。
【請求項４】
自表示装置の電源の状態を示す電源ランプと、
前記表示信号処理手段によって処理が施された前記ビデオ入力信号に基づいて、表示画面に画像を表示する表示手段とを備え、
前記電子スイッチ制御手段は、
前記通常モードで動作しているときに、前記第２の信号検出手段によって前記ビデオ入力信号が入力されていないことが検出されると、前記電源ランプを消灯するとともに、前記表示手段への電力の供給を停止し、
前記省エネルギーモードで動作しているときに、前記第２の信号検出手段によって前記ビデオ入力信号が入力されたことが検出されると、前記電源ランプを点灯するとともに、前記表示手段に電力を供給することを特徴とする請求項１〜３のいずれか１つに記載の表示装置。
【請求項５】
前記第１の信号検出手段および前記電子スイッチ制御手段に電力を供給する蓄電回路と、
前記蓄電回路の蓄電レベルを検出し、検出結果に基づいて前記蓄電回路を制御する蓄電レベル検出／制御手段とを備え、
前記蓄電レベル検出／制御手段は、前記蓄電回路の蓄電レベルが低下したと判断すると、前記蓄電回路を充電することを特徴とする請求項１〜４のいずれか１つに記載の表示装置。
【手続補正２】
【補正対象書類名】明細書
【補正対象項目名】０００３
【補正方法】変更
【補正の内容】
【０００３】
ＤＰＭＳ規格に対応した表示装置では、接続された外部装置の状態に応じて、通常モードから省エネルギーモード（以下「省エネモード」という場合がある）への切り換え、または省エネモードから通常モードへの切り換えが行われる。通常モードと省エネモードとの切り換え動作は、外部装置から表示装置に入力されるビデオ信号（以下「ビデオ入力信号」ともいう）の有無に基づいて制御される。以下の説明では、省エネモードで動作している表示装置の状態を「待機状態」という。
【手続補正３】
【補正対象書類名】明細書
【補正対象項目名】００１３
【補正方法】変更
【補正の内容】
【００１３】
本発明の表示装置は、外部装置に接続され、通常モードに対して消費電力を抑えて動作する省エネルギーモードで動作可能な表示装置であって、前記省エネルギーモードで動作しているときに、前記外部装置からビデオ入力信号が入力されたことを類推可能な擬似入力信号が入力されたか否かを検出する第１の信号検出手段と、前記外部装置から前記ビデオ入力信号が入力されたか否かを検出する第２の信号検出手段と、前記第２の信号検出手段による検出結果に基づいて、前記通常モードと前記省エネルギーモードとを切り換える電力モード移行制御手段と、前記外部装置から入力される前記ビデオ入力信号に、前記ビデオ入力信号が表す画像を表示するための処理を施す表示信号処理手段と、前記第２の信号検出手段、前記電力モード移行制御手段および前記表示信号処理手段に電力を供給する供給状態と、前記電力の供給を停止する供給停止状態とを切り換える電子スイッチ制御手段とを備え、前記電力モード移行制御手段は、前記通常モードで動作しているときに、前記第２の信号検出手段によって前記ビデオ入力信号が入力されていないことが検出されると、前記通常モードから前記省エネルギーモードに切り換え、前記省エネルギーモードで動作しているときに、前記第２の信号検出手段によって前記ビデオ入力信号が入力されたことが検出されると、前記省エネルギーモードから前記通常モードに切り換え、前記第２の信号検出手段によって前記ビデオ入力信号が入力されていないことが検出されると、前記省エネルギーモードを保持し、前記電子スイッチ制御手段は、前記電力モード移行制御手段によって前記通常モードから前記省エネルギーモードに切り換えられると、前記供給状態から前記供給停止状態に切り換え、前記省エネルギーモードで動作しているときに、前記第１の信号検出手段によって前記疑似入力信号が入力されたことが検出されると、前記供給停止状態から前記供給状態に切り換えることを特徴とする。
【手続補正４】
【補正対象書類名】明細書
【補正対象項目名】００１４
【補正方法】変更
【補正の内容】
【００１４】
本発明の表示装置によれば、電力モード移行制御手段によって通常モードから省エネルギーモードに切り換えられると、電子スイッチ制御手段によって供給状態から供給停止状態に切り換えられ、第２の信号検出手段、電力モード移行制御手段および表示信号処理手段への電力の供給が停止される。省エネルギーモードで動作しているときに、第１の信号検出手段によって疑似入力信号が入力されたことが検出されると、電子スイッチ制御手段によって供給停止状態から供給状態に切り換えられ、第２の信号検出手段、電力モード移行制御手段および表示信号処理手段に電力が供給される。
【手続補正５】
【補正対象書類名】明細書
【補正対象項目名】００１５
【補正方法】変更
【補正の内容】
【００１５】
このように省エネルギーモードで動作しているときには、第１の信号検出手段によって疑似入力信号が入力されたか否かが検出されるので、通常モードへの復帰のために第２の信号検出手段でビデオ入力信号が入力されたか否かを検出する必要がない。これによって、第１の信号検出手段によって疑似入力信号が入力されたことが検出されるまで、第２の信号検出手段への電力の供給を停止することができるので、第２の信号検出手段に供給する分の電力を削減することができる。また省エネルギーモードでは、電力モード移行制御手段および表示信号処理手段への電力の供給が停止されるので、電力モード移行制御手段および表示信号処理手段へ供給する分の電力を削減することができる。したがって、省エネルギーモードにおける消費電力を可及的に小さく抑えることができる。
【手続補正６】
【補正対象書類名】明細書
【補正対象項目名】００１６
【補正方法】変更
【補正の内容】
【００１６】
また第１の信号検出手段によって疑似入力信号が入力されたことが検出されると、第２の信号検出手段に電力が供給され、ビデオ入力信号が入力されたか否かが検出される。そして、第２の信号検出手段によってビデオ入力信号が入力されたことが検出されると、省エネルギーモードから通常モードに切り換えられる。したがって、たとえば使用者が所定のボタンを押すなどの操作を行う必要がなく、省エネルギーモードから通常モードに容易に復帰させることができる。
【手続補正７】
【補正対象書類名】明細書
【補正対象項目名】００２２
【補正方法】変更
【補正の内容】
【００２２】
第１の信号検出手段１１は、外部コンピュータ装置から擬似入力信号が入力されたか否かを検出する。疑似入力信号とは、外部コンピュータ装置からビデオ入力信号が入力されたことを類推可能な信号をいう。第１の信号検出手段１１は、擬似入力信号が入力されたことを検出すると、第１オン制御信号（ＯＮＣＳ１）を電子スイッチ制御手段１２および電力モード移行制御手段１３に与える。第１オン制御信号（ＯＮＣＳ１）は、ハイ（Ｈｉ）パルス信号である。
【手続補正８】
【補正対象書類名】明細書
【補正対象項目名】００２５
【補正方法】変更
【補正の内容】
【００２５】
ビデオ入力信号は、赤色（Red；略称：Ｒ）信号、緑色（Green；略称：Ｇ）信号および青色（Blue；略称：Ｂ）信号で構成されるＲＧＢ映像信号、水平同期信号、および垂直同期信号などを含んで構成される。第２の信号検出手段１４は、水平同期信号および垂直同期信号の周波数検出などを行うことによって、ビデオ入力信号の入力の有無を検出する。
【手続補正９】
【補正対象書類名】明細書
【補正対象項目名】００２８
【補正方法】変更
【補正の内容】
【００２８】
電子スイッチ制御手段１２は、電力モード移行制御手段１３からオフ制御信号（ＯＦＦＣＳ）が与えられると、オフ制御信号（ＯＦＦＣＳ）であるＨｉパルス信号をトリガとして、電子スイッチ１５をオフにし、第２電源ＰＳ２をオフにする。これによって、電子スイッチ制御手段１２は、電力モード移行制御手段１３、第２の信号検出手段１４および後段の表示信号処理部１８への電力の供給を停止して、省エネモードを保持し、再度第１の信号検出手段１１の信号待ち状態になるように動作する。
【手続補正１０】
【補正対象書類名】明細書
【補正対象項目名】００３０
【補正方法】変更
【補正の内容】
【００３０】
電子スイッチ制御手段１２は、電力モード移行制御手段１３から第３オン制御信号（ＯＮＣＳ３）が与えられると、第３オン制御信号（ＯＮＣＳ３）であるＨｉパルス信号をトリガとして、電子スイッチ１５をオンにし、第２電源ＰＳ２をオンにする。これによって、電子スイッチ制御手段１２は、電力モード移行制御手段１３に電力を供給し、メインマイクロコンピュータ（略称：メインマイコン）を初期化する。
【手続補正１１】
【補正対象書類名】明細書
【補正対象項目名】００５５
【補正方法】変更
【補正の内容】
【００５５】
図５は、表示装置１におけるＡＣオン処理の処理手順を示すフローチャートである。図５に示すフローチャートの各処理は、第１の信号検出手段１１、電子スイッチ制御手段１２、電力モード移行制御手段１３および第２の信号検出手段１４によって実行される。図５に示すフローチャートの処理は、表示装置１のＡＣ電源が投入されてＡＣオンになると開始され、ステップａ１に移行する。
【手続補正１２】
【補正対象書類名】明細書
【補正対象項目名】００６７
【補正方法】変更
【補正の内容】
【００６７】
電子スイッチ制御手段１２は、ステップｂ３において、入力されたと判断すると、ステップｂ４に移行して、電力モード移行制御手段１３の電源をオンにし、メインマイコンを初期化する。メインマイコンの起動後は、ステップｂ５に移行し、電力モード移行制御手段１３は、マスク制御信号（ＭＫＣＳ）を出力することによって、不要になった第１の信号検出手段１１の出力を停止する。
【手続補正１３】
【補正対象書類名】明細書
【補正対象項目名】００７６
【補正方法】変更
【補正の内容】
【００７６】
ステップｃ６において、電子スイッチ制御手段１２は、第１の信号検出手段１１から入力される第１オン制御信号（ＯＮＣＳ１）であるＨｉパルス信号をトリガとして、電子スイッチ１５をオンにすることによって、電源Ｐ２をオンにする。これによって、電子スイッチ制御手段１２は、ステップｃ７において、電力モード移行制御手段１３の電源をオンにし、メインマイコンを初期化する。メインマイコンの起動後は、ステップｃ８において、電力モード移行制御手段１３は、マスク制御信号（ＭＫＣＳ）を出力することによって、不要になった第１の信号検出手段１１の出力を停止する。
【手続補正１４】
【補正対象書類名】明細書
【補正対象項目名】００８０
【補正方法】変更
【補正の内容】
【００８０】
ビデオ入力信号が有りの場合は、電力モード移行制御手段１３は、ステップｃ１１において入力されたと判断してステップｃ１２に移行し、電源ランプ１７を点灯する。ステップｃ１２の処理の終了後は、ステップｃ１に戻り、通常モード処理へ移行する。ステップｃ１１において入力されていないと判断された場合は、ステップｃ１３に移行する。
【手続補正１５】
【補正対象書類名】明細書
【補正対象項目名】００８２
【補正方法】変更
【補正の内容】
【００８２】
以上のように本実施の形態によれば、省エネルギーモードで動作しているときには、第１の信号検出手段１１によって疑似入力信号が入力されたか否かが検出されるので、通常モードへの復帰のために第２の信号検出手段１４でビデオ入力信号が入力されたか否かを検出する必要がない。これによって、第１の信号検出手段１１によって疑似入力信号が入力されたことが検出されるまで、第２の信号検出手段１４への電力の供給を停止することができるので、第２の信号検出手段１４に供給する分の電力を削減することができる。
【手続補正１６】
【補正対象書類名】明細書
【補正対象項目名】００８４
【補正方法】変更
【補正の内容】
【００８４】
また第１の信号検出手段１１によって疑似入力信号が入力されたことが検出されると、第２の信号検出手段１４に電力が供給され、ビデオ入力信号が入力されたか否かが検出される。そして、第２の信号検出手段１４によってビデオ入力信号が入力されたことが検出されると、省エネルギーモードから通常モードに切り換えられる。したがって、たとえば使用者が所定のボタンを押すなどの操作を行う必要がなく、省エネルギーモードから通常モードに容易に復帰させることができる。